(57)【要約】【課題】各サブフィールド内の発光維持行程における誤放電を防止することができるプラズマディスプレイパネルの駆動方法を提供する。【解決手段】発光維持行程において印加される維持パルスのうちで最初に印加される第１維持パルスのパルス幅を第１維持パルス以降に印加される維持パルスのうちの少なくとも１の維持パルスのパルス幅よりも大とし、かつ第１維持パルスの印加直前に対をなす行電極各々に維持パルスと同一極性の壁電荷量調整パルスを同時に印加する。【選択図】  図４
2005037515.tif 000002
【特許請求の範囲】
【請求項１】
表示ラインに対応する複数の行電極対と前記行電極対に交差して配置された複数の列電極との各交差部にて放電セルを形成しているプラズマディスプレイパネルを画像信号に応じて階調駆動する駆動方法であって、
前記画像信号の１フィールドの表示期間を複数のサブフィールドに分割し、前記サブフィールド各々において、
走査パルスを前記行電極対の一方の行電極に順次印加すると共に前記画像信号に対応した画素データパルスを前記列電極に印加することにより前記放電セル各々を点灯放電セル状態と消灯放電セル状態のいずれか一方に設定する選択放電を生起せしめる画素データ書込み行程と、
前記行電極対に維持パルスを前記サブフィールド各々の重み付けに対応した回数だけ印加し、前記点灯放電セル状態にある前記放電セルのみに維持放電を生起せしめる発光維持行程と、を実行し、
前記発光維持行程において印加される前記維持パルスのうちで最初に印加される第１維持パルスのパルス幅を前記第１維持パルス以降に印加される維持パルスのうちの少なくとも１の維持パルスのパルス幅よりも大とし、かつ前記第１維持パルスの印加直前に対をなす前記行電極各々に前記維持パルスと同一極性の壁電荷量調整パルスを同時に印加することを特徴とするプラズマディスプレイパネルの駆動方法。
【請求項２】
前記列電極に、前記壁電荷量調整パルスと同一極性の第１アドレスパルスを前記壁電荷量調整パルスと同時に印加することを特徴とする請求項１記載のプラズマディスプレイパネルの駆動方法。
【請求項３】
前記列電極に、前記発光維持行程において前記維持パルスのうちで２番目に印加される第２維持パルスと同一極性の第２アドレスパルスを前記第２維持パルスと同時に印加することを特徴とする請求項１記載のプラズマディスプレイパネルの駆動方法。
【発明の詳細な説明】
【０００１】
【発明の属する技術分野】
本発明は、プラズマディスプレイパネルを駆動する駆動方法に関する。
【０００２】
【従来技術】
図１は、プラズマディスプレイパネルを用いた表示装置の概略構成を示す図である。
図１において、プラズマディスプレイパネル（以下、ＰＤＰと称す）１０は、Ｘ及びＹの１対にて１画面の各行（第１行〜第ｎ行）に対応した行電極対をなす行電極Ｙ１〜Ｙｎ及びＸ１〜Ｘｎを備えている。更に、ＰＤＰ１０には、上記行電極対に直交し、かつ図示せぬ誘電体層及び放電空間を挟んで１画面の各列（第１列〜第ｍ列）に対応した列電極Ｚ１〜Ｚｍが形成されている。なお、１対の行電極対（Ｘ、Ｙ）と１つの列電極Ｚとの交差部に１画素を担う放電セルが形成される。
【０００３】
各放電セルは、その放電セル内において放電が生起されるか否かにより、”発光”及び”非発光”の２つの状態しかもたない。すなわち、最低輝度（非発光状態）、及び最高輝度（発光状態）の２階調分の輝度しか表現できないのである。
そこで、このような発光素子を有するＰＤＰ１０に対して、入力された映像信号に対応した中間調の輝度を得るべく、駆動装置１００には、サブフィールド法を用いた階調駆動が適用される。
【０００４】
サブフィールド法では、入力された映像信号を各画素毎に対応したＮビットの画素データに変換し、このＮビットのビット桁各々に対応させて、１フィールドの表示期間をＮ個のサブフィールドに分割することが行われる。１フィールドの表示期間は例えば、図２に示されるように、４つのサブフィールドＳＦ１〜ＳＦ４に分割される。各サブフィールドには、そのサブフィールドの重み付けに対応した放電実行回数（図２の８，４，２，１）が各々割り当ててあり、映像信号に応じたサブフィールドにおいてのみでこの放電を選択的に生起させる。１フィールド毎に各サブフィールドで生起された放電回数の合計により、映像信号に対応した中間調の輝度が得られるのである。
【０００５】
かかるサブフィールド法を利用してＰＤＰを階調駆動する方法として、選択消去アドレス法が知られている。
図３は、その選択消去アドレス法による階調駆動において、駆動装置１００が、１サブフィールド内においてＰＤＰ１０の列電極及び行電極に印加する各種駆動パルスの印加タイミングを示す図である。
【０００６】
先ず、駆動装置１００は、負極性のリセットパルスＲＰｘを行電極Ｘ１〜Ｘｎ、更に正極性のリセットパルスＲＰＹを行電極Ｙ１〜Ｙｎ各々に同時に印加する（一斉リセット行程Ｒｃ）。
これらリセットパルスＲＰｘ及びＲＰＹの印加に応じて、ＰＤＰ１０中の全ての放電セルがリセット放電されて、各放電セル内には一様に所定量の壁電荷が形成される。これにより、全ての放電セルは一旦、点灯放電セル状態に初期設定される。
【０００７】
次に、駆動装置１００は、入力された映像信号を各画素毎の例えば８ビットの画素データに変換する。駆動装置１００は、かかる画素データを各ビット桁毎に分割して画素データビットを求め、この画素データビットの論理レベルに応じたパルス電圧を有する画素データパルスを発生する。駆動装置１００は、かかる画素データパルスを１行分毎（ｍ個）にグループ化した、第１行〜第ｎ行各々に対応した画素データパルス群ＤＰ１〜ＤＰｎを、図３に示されるように順次、列電極Ｚ１〜Ｚｍに印加して行く。なお、駆動装置１００は、上記画素データビットが例えば論理レベル”１”である場合には高電圧、論理レベル”０”である場合には低電圧（０ボルト）の画素データパルスを発生する。更に、駆動装置１００は、上記画素データパルス群ＤＰ各々の印加タイミングにて、図３に示されるが如き走査パルスＳＰを発生し、これを行電極Ｙ１〜Ｙｎへと順次印加して行く（画素データ書込行程Ｗｃ）。
【０００８】
走査パルスＳＰが印加された”行”と、高電圧の画素データパルスが印加された”列”との交差部の放電セルにのみ放電（選択消去放電）が生じ、その放電セル内に残存していた壁電荷が選択的に消去される。これにより、上記一斉リセット行程Ｒｃにおいて点灯放電セルの状態に初期化された放電セルは、消灯放電セル状態に推移する。一方、走査パルスＳＰが印加されたものの、低電圧の画素データパルスが印加された”行”及び”列”に交叉して形成されている放電セルには前述した如き選択消去放電は生起されず、上記一斉リセット行程Ｒｃにて初期化された状態、つまり点灯放電セル状態が保持される。
【０００９】
次に、駆動装置１００は、図３に示されるが如き正極性の維持パルスＩＰＸを繰り返し行電極Ｘ１〜Ｘｎに印加すると共に、この維持パルスＩＰＸが行電極Ｘ１〜Ｘｎに印加されていない期間中に、図３に示されるが如き正極性の維持パルスＩＰＹを繰り返し行電極Ｙ１〜Ｙｎに印加する（発光維持行程Ｉｃ）。
壁電荷が残留したままとなっている放電セル、すなわち点灯放電セルのみが、その維持パルスＩＰＸ及びＩＰＹが交互に印加される度に放電（維持放電）する。つまり、上記画素データ書込行程Ｗｃにおいて点灯放電セル状態に設定された放電セルのみが、このサブフィールドの重み付けに対応した回数分だけ維持放電に伴う発光を繰り返し、これにより視覚上の発光状態が維持されるのである。その維持パルスＩＰＸ及びＩＰＹが印加される回数は、各サブフィールド毎の重み付けに応じて予め設定されている回数である。
【００１０】
また、各サブフィールド内の維持パルスＩＰＸ及びＩＰＹについては、図３に示されるように、維持パルスＩＰＸの第１番目のパルスのパルス幅Ｔａが最も大きくされ、それ以降に印加される維持パルスＩＰＹ及びＩＰＸ各々のパルス幅Ｔｂはその第１番目のパルスのパルス幅Ｔａより小さくされている。これは、リセット放電及びアドレス放電によって生じたプライミング粒子は、時間経過と共に減少し、プライミング粒子量が多いほど放電遅れが生じるので、その放電遅れによる誤放電を防止して維持放電を安定化させるためである（例えば、特許文献１）。
【００１１】
次に、駆動装置１００は、図３に示されるが如き消去パルスＥＰを行電極Ｘ１〜Ｘｎに印加する（消去行程Ｅ）。これにより、全放電セルを一斉に消去放電せしめて各放電セル内に残留している壁電荷を消滅させる。
上述した如き一連の動作を１フィールド内において複数回実行することにより、視覚上において、映像信号に対応した中間輝度が得られるのである。
【００１２】
【特許文献１】
特許２６７４４８５号公報
【００１３】
【発明が解決しようとする課題】
しかしながら、キセノン分圧を高くしたり、列電極（アドレス電極）と走査パルスが印加される行電極（走査電極）との対向間隔を狭くすることにより、走査電極とアドレス電極との間の放電開始電圧が低くされているプラズマディスプレイパネルにおいては、広パルス幅の維持パルスの印加により、画素データ書込行程Ｗｃで消灯放電セル状態にされたセルの行電極間で放電が生じ、その結果、発光維持行程Ｉｃにおいて誤放電が生じることがあるという問題点があった。
【００１４】
本発明が解決しようとする課題には、上記の問題点が一例として挙げられ、発光維持行程における誤放電を防止することができるプラズマディスプレイパネルの駆動方法を提供することが本発明の目的である。
【００１５】
【課題を解決するための手段】
本発明によるプラズマディスプレイパネルの駆動方法は、表示ラインに対応する複数の行電極対と前記行電極対に交差して配置された複数の列電極との各交差部にて放電セルを形成しているプラズマディスプレイパネルを画像信号に応じて階調駆動する駆動方法であって、前記画像信号の１フィールドの表示期間を複数のサブフィールドに分割し、前記サブフィールド各々において、走査パルスを前記行電極対の一方の行電極に順次印加すると共に前記画像信号に対応した画素データパルスを前記列電極に印加することにより前記放電セル各々を点灯放電セル状態と消灯放電セル状態のいずれか一方に設定する選択放電を生起せしめる画素データ書込み行程と、前記行電極対に維持パルスを前記サブフィールド各々の重み付けに対応した回数だけ印加し、前記点灯放電セル状態にある前記放電セルのみに維持放電を生起せしめる発光維持行程と、を実行し、前記発光維持行程において印加される前記維持パルスのうちで最初に印加される第１維持パルスのパルス幅を前記第１維持パルス以降に印加される維持パルスのうちの少なくとも１の維持パルスのパルス幅よりも大とし、かつ前記第１維持パルスの印加直前に対をなす前記行電極各々に前記維持パルスと同一極性の壁電荷量調整パルスを同時に印加することを特徴としている。
【００１６】
【発明の実施の形態】
図４は、本発明によるプラズマディスプレイパネルの駆動方法を図１の表示装置に適用した場合の１つのサブフィールド内の発光維持行程Ｉｃにおける行電極Ｘ，Ｙ及び列電極Ｚ各々への印加パルスを示している。行電極Ｘ，Ｙは行電極Ｘ１〜Ｘｎ，Ｙ１〜Ｙｎのうちのいずれか１の対の行電極であり、列電極Ｚは列電極Ｚ１〜Ｚｍのうちの１つ行電極である。
【００１７】
発光維持行程Ｉｃにおいては、先ず、壁電荷量調整パルスが行電極Ｘ，Ｙに同時に印加される。すなわち、同一の極性（正極性）で同一の電圧を有しかつ同一のパルス幅を有する壁電荷量調整パルスが行電極Ｘ，Ｙに印加される。この壁電荷量調整パルスの印加により、列電極Ｚ上に蓄積されている壁電荷量を低減させる。壁電荷量調整パルスの印加によって行電極Ｘ又はＹと列電極Ｚとの間で放電が起きても、行電極Ｘ，Ｙは同電位であるので、行電極Ｘ，Ｙ間に大きな量の壁電荷が蓄積することがない。
【００１８】
壁電荷量調整パルスの印加終了後、行電極Ｘに維持パルス（第１維持パルス）が印加される。この第１維持パルスは幅広のパルス幅Ｔａを有する。このパルス幅Ｔａの維持パルスの印加後は、パルス幅Ｔｂの維持パルスが行電極Ｙに印加される。その後、パルス幅Ｔｂの維持パルスが行電極Ｘ，Ｙに交互に印加される。維持パルスは壁電荷量調整パルスと同一の極性である。維持パルスが行電極Ｘ，Ｙに印加される回数は、各サブフィールド毎の重み付けに応じて予め設定されている回数である。
【００１９】
画素データ書込行程Ｗｃで点灯放電セル状態にされた場合には、維持パルスの印加により行電極Ｘ，Ｙ間において図４に破線の矢印で示された方向に維持放電が生じる。
壁電荷量調整パルスの印加により、上記したように列電極Ｚ上に蓄積されている壁電荷量が低減しているので、その後の維持パルスの印加によって行電極Ｘ又はＹと列電極Ｚとの間における放電が防止される。よって、維持放電が安定化されることになる。また、壁電荷量調整パルスが同一の極性、同一の電圧でかつ同一のタイミングで行電極Ｘ，Ｙに印加されることにより、無効電力を抑制することができる。
【００２０】
図５は、本発明の他の実施例を示しており、図４と同様に１つのサブフィールド内の発光維持行程Ｉｃにおける行電極Ｘ，Ｙ及び列電極Ｚ各々への印加パルスを示している。この実施例においては、壁電荷量調整パルスが行電極Ｘ，Ｙに各々印加されるタイミングで、列電極Ｚに第１アドレスパルスが同時に印加される。第１アドレスパルスは壁電荷量調整パルスと同一の極性であって同一のパルス幅を有する。その後の維持パルスの行電極Ｘ，Ｙへの印加については図４の実施例と同一である。
【００２１】
図５の実施例においては、壁電荷量調整パルス及び第１アドレスパルスの同時印加により、行電極Ｘ又はＹと列電極Ｚとの間を放電を微弱化させることができる。この結果、その後の維持パルスの印加による行電極Ｘ又はＹと列電極Ｚとの間における放電が防止される。
図６は、本発明の他の実施例を更に示しており、図４と同様に１つのサブフィールド内の発光維持行程Ｉｃにおける行電極Ｘ，Ｙ及び列電極Ｚ各々への印加パルスを示している。この実施例においては、壁電荷量調整パルスが行電極Ｘ，Ｙに同時に印加されるタイミングで、列電極Ｚに第１アドレスパルスが印加される。第１アドレスパルスは壁電荷量調整パルスと同一の極性であって同一のパルス幅を有する。その後、先ず、パルス幅Ｔａの維持パルス（第１維持パルス）が行電極Ｘに印加され、次に、パルス幅Ｔｂの維持パルス（第２維持パルス）が行電極Ｙに印加されるタイミングで、列電極Ｚに第２アドレスパルスが同時に印加される。第２アドレスパルスはパルス幅Ｔｂの維持パルスと同一の極性であって同一のパルス幅を有する。その後のパルス幅Ｔｂの維持パルスの行電極Ｘ，Ｙへの印加については図４の実施例と同一である。
【００２２】
図６の実施例においては、壁電荷量調整パルス及び第１アドレスパルスの印加により、行電極Ｘ又はＹと列電極Ｚとの間で放電が起きなかった場合であっても第２維持パルスと第２アドレスパルスとの同時印加により、行電極Ｘ又はＹと列電極Ｚとの間を放電を微弱化させることができる。この結果、その後の維持パルスの印加による行電極Ｘ又はＹと列電極Ｚとの間における放電が防止される。
【００２３】
なお、上記の各実施例の駆動方法は、図１の表示装置中のＰＤＰ１０の全ての行電極Ｘ１〜Ｘｎ，Ｙ１〜Ｙｎ及び列電極Ｚ１〜Ｚｍにおいて同様に行われる。
また、上記の各実施例においては、本発明を選択消去アドレス法の表示装置に適用した場合について説明したが、選択書込みアドレス法の表示装置に同様に適用することができる。選択書込みアドレス法の表示装置においてはリセット行程はサブフィールド毎に設けなくても良い。
【００２４】
更に、上記の各実施例においては、第１維持パルスのパルス幅Ｔａはそれ以降の全ての維持パルスのパルス幅Ｔｂより大きいが、これに限定されない。第１維持パルスのパルス幅は第１維持パルス以降に印加される維持パルスのうちの少なくとも１の維持パルスのパルス幅よりも大であれば良い。第１維持パルス以降に印加される維持パルスのパルス幅が全て同一である必要はない。
【００２５】
以上、詳述した如く本発明によれば、発光維持行程において印加される維持パルスのうちの最初の第１維持パルスのパルス幅を第１維持パルス以降に印加される維持パルスのうちの少なくとも１の維持パルスのパルス幅よりも大とし、かつ第１維持パルスの印加直前に対をなす行電極各々に前記維持パルスと同一極性の壁電荷量調整パルスを同時に印加するので、発光維持行程における誤放電を防止することができる。
【図面の簡単な説明】
【図１】ＰＤＰを用いた表示装置の概略構成を示す図である。
【図２】１フィールド内の４サブフィールドの期間を示す図である。
【図３】１サブフィールド内においてＰＤＰに印加される各種パルスの印加タイミングを示す図である。
【図４】本発明の実施例として１サブフィールド内の発光維持行程における行電極及び列電極各々への印加パルスを示す図である。
【図５】本発明の他の実施例として１サブフィールド内の発光維持行程における行電極及び列電極各々への印加パルスを示す図である。
【図６】本発明の他の実施例として１サブフィールド内の発光維持行程における行電極及び列電極各々への印加パルスを示す図である。
【符号の説明】
１０  ＰＤＰ
１００  駆動装置
Ｘ１〜Ｘｎ，Ｙ１〜Ｙｎ  行電極
Ｚ１〜Ｚｍ  列電極
【図１】
2005037515.tif 000003
【図２】
2005037515.tif 000004
【図３】
2005037515.tif 000005
【図４】
2005037515.tif 000006
【図５】
2005037515.tif 000007
【図６】
2005037515.tif 000008